(57)【要約】一般住宅はおろか、オフィスや工場等の各種の施設に於て、空気の高度な殺菌・清浄化が行なえ、安全で快適かつ健康的な生活空間が得られる機能性空調装置を提供するために、室内Ｒ又は室外Ｓの空気Ａを吸入口Ｐａから吸い込んで、地中Ｇに送って、地中Ｇにて空気Ａを熱交換させ、熱交換した空気Ａを室内Ｒに吹出口Ｐｂから排出する送流配管Ｐを備えた地中熱利用の機能性空調装置であって、送流配管Ｐは、空気Ａを地上から地中に送るための往路部11と、地中にて地中熱と熱交換された空気Ａを地上に戻す復路部12と、を有する往復管部10を備え、吹出口Ｐｂと、往復管10の地上排気口10ｂの間に、消毒液Ｗが貯えられた殺菌清浄器２を介設している。
2013061406.tif 000002
【特許請求の範囲】
【請求項１】
室内（Ｒ）又は室外（Ｓ）の空気（Ａ）を吸入口（Ｐａ）から吸い込んで、地中（Ｇ）に送って、該地中（Ｇ）にて上記空気（Ａ）を熱交換させ、熱交換した該空気（Ａ）を上記室内（Ｒ）に吹出口（Ｐｂ）から排出する送流配管（Ｐ）を備えた地中熱利用の機能性空調装置であって、
上記送流配管（Ｐ）は、上記空気（Ａ）を地上から地中に送るための往路部（11）と、地中にて地中熱と熱交換された該空気（Ａ）を地上に戻す復路部（12）と、を有する熱交換用往復管（10）を備え、
上記吹出口（Ｐｂ）と、上記熱交換用往復管（10）の地上排気口（10ｂ）の間に、消毒液（Ｗ）が貯えられた殺菌清浄器（２）を介設したことを特徴とする機能性空調装置。
【請求項２】
上記殺菌清浄器（２）は、断熱性を有する殺菌清浄用ケーシング（21）と、上記消毒液（Ｗ）が貯液される貯液部（22）と、該貯液部（22）の上記消毒液（Ｗ）に一端縁側が浸され上記消毒液（Ｗ）を毛細管現象によって吸い上げるフィルタ（24）と、を有し、
さらに、上記殺菌清浄器（２）は、上記殺菌清浄用ケーシング（21）の流入口（21ａ）と上記フィルタ（24）の間に、流入した上記空気（Ａ）を、上記貯液部（22）側へ誘導する入口ガイド部（26）を有する請求項１記載の機能性空調装置。
【請求項３】
上記フィルタ（24）は、無機質繊維であって、繊維の太さを０．０１〜０．０５ｍｍに設定すると共に、上記フィルタ（24）の厚みを０．０５〜２．０ｍｍに設定した請求項２記載の機能性空調装置。
【請求項４】
上記消毒液（Ｗ）は、抗菌作用を有する金属イオンとＬ−システイン並びにＬ−アスコルビン酸を主成分として、この主成分に非イオン系を除く界面活性剤を含有するものである請求項１，２又は３記載の機能性空調装置。
【請求項５】
上記殺菌清浄器（２）は、上記消毒液（Ｗ）の温度を調節する温調手段（28）を備え、
上記消毒液（Ｗ）の温度調整によって、上記殺菌洗浄器（２）から排出される上記空気（Ａ）の温度を調整するように構成した請求項１，２，３又は４記載の機能性空調装置。
【請求項６】
上記殺菌清浄器（２）から排出される上記空気（Ａ）が流入する接続口（31ａ）を有すると共に断熱性を有する収納用ケーシング（31）と、ストレスの解消に有効な生理活性物質（39）が収納される収納部（32）と、上記生理活性物質（39）を揮散させて上記空気（Ａ）に混入させるための超音波発生手段（33）と、を有する生理活性器（３）を、上記吹出口（Ｐｂ）と上記殺菌清浄器（２）の間に介設した請求項１，２，３，４又は５記載の機能性空調装置。
【請求項７】
室内（Ｒ）又は室外（Ｓ）の空気（Ａ）を地上から地中（Ｇ）に送って、該地中（Ｇ）にて上記空気（Ａ）を熱交換させ、熱交換した該空気（Ａ）を上記室内（Ｒ）に送る地中熱利用の機能性空調方法であって、
上記空気（Ａ）を上記室内（Ｒ）に送る前に、貯液された消毒液（Ｗ）に上記空気（Ａ）を接触させ、該空気（Ａ）の殺菌・清浄をおこなうことを特徴とする機能性空調方法。
【請求項８】
上記空気（Ａ）が流れる送流配管（Ｐ）の地上側において、上記空気（Ａ）を上記消毒液（Ｗ）へ誘導して接触させ、さらに、上記空気（Ａ）を、上記貯液された消毒液（Ｗ）を毛細管現象にて吸い上げたフィルタ（24）に通過させて、上記空気（Ａ）の殺菌・清浄をおこなう請求項７記載の機能性空調方法。
【請求項９】
室内（Ｒ）又は室外（Ｓ）の空気（Ａ）を地上から地中（Ｇ）に送って、該地中（Ｇ）にて上記空気（Ａ）を熱交換させ、熱交換した該空気（Ａ）を上記室内（Ｒ）に送る地中熱利用の機能性空調方法であって、
上記空気（Ａ）が流れる送流配管（Ｐ）の内周面（Ｐｅ）を上記消毒液（Ｗ）で濡らし、
上記送流配管（Ｐ）内で上記空気（Ａ）を上記消毒液（Ｗ）に接触させつつ送流させて、上記空気（Ａ）の殺菌・清浄をおこなうことを特徴とする機能性空調方法。
【請求項１０】
室内（Ｒ）に空気（Ａ）を吹出口（Ｐｂ）から排出する送流配管（Ｐ）の途中に消毒液（Ｗ）が貯えられた殺菌清浄器（２）を介設したことを特徴とする機能性空調装置。
【発明の詳細な説明】
【技術分野】
【０００１】
本発明は、地中熱を利用した機能性空調装置及び機能性空調方法に関する。
【背景技術】
【０００２】
従来、室内又は室外の空気を吸い込んで地中へ送り、地中熱と熱交換した空気を室内に送る地中熱を利用した空調装置及び空調方法があった（例えば、特許文献１参照）。
【先行技術文献】
【特許文献】
【０００３】
【特許文献１】特開２００３−３５４５５号公報
【発明の概要】
【発明が解決しようとする課題】
【０００４】
しかし、従来の地中熱を利用した空調装置及び空調方法は、空気の殺菌や清浄を行なうことはできなかった。そこで空気を浄化するために、フィルタと活性炭等を併用した空気清浄機等を室内に設置する場合もあったが、広い空間では効果は限定的であった。【０００５】
そこで、本発明は、一般住宅はおろか、オフィスや工場等の各種の施設に於て、空気の高度な殺菌・清浄化が行なえ、安全で快適かつ健康的な生活空間が得られる機能性空調装置及び機能性空調方法の提供を目的とする。
【課題を解決するための手段】
【０００６】
上記目的を達成するために、本発明の機能性空調装置は、室内又は室外の空気を吸入口から吸い込んで、地中に送って、該地中にて上記空気を熱交換させ、熱交換した該空気を上記室内に吹出口から排出する送流配管を備えた地中熱利用の機能性空調装置であって、上記送流配管は、上記空気を地上から地中に送るための往路部と、地中にて地中熱と熱交換された該空気を地上に戻す復路部と、を有する熱交換用往復管を備え、上記吹出口と、上記熱交換用往復管の地上排気口の間に、消毒液が貯えられた殺菌清浄器を介設したものである。
また、上記殺菌清浄器は、断熱性を有する殺菌清浄用ケーシングと、上記消毒液が貯液される貯液部と、該貯液部の上記消毒液に一端縁側が浸され上記消毒液を毛細管現象によって吸い上げるフィルタと、を有し、さらに、上記殺菌清浄器は、上記殺菌清浄用ケーシングの流入口と上記フィルタの間に、流入した上記空気を、上記貯液部側へ誘導する入口ガイド部を有するものである。【０００７】
また、上記フィルタは、無機質繊維であって、繊維の太さを０．０１〜０．０５ｍｍに設定すると共に、上記フィルタの厚みを０．０５〜２．０ｍｍに設定したものである。
また、上記消毒液は、抗菌作用を有する金属イオンとＬ−システイン並びにＬ−アスコルビン酸を主成分として、この主成分に非イオン系を除く界面活性剤を含有するものである。
また、上記殺菌清浄器は、上記消毒液の温度を調節する温調手段を備え、上記消毒液の温度調整によって、上記殺菌洗浄器から排出される上記空気の温度を調整するように構成したものである。
また、上記殺菌清浄器から排出される上記空気が流入する接続口を有すると共に断熱性を有する収納用ケーシングと、ストレスの解消に有効な生理活性物質が収納される収納部と、上記生理活性物質を揮散させて上記空気に混入させるための超音波発生手段と、を有する生理活性器を、上記吹出口と上記殺菌清浄器の間に介設したものである。【０００８】
また、本発明の空調方法は、室内又は室外の空気を地上から地中に送って、該地中にて上記空気を熱交換させ、熱交換した該空気を上記室内に送る地中熱利用の機能性空調方法であって、上記空気を上記室内に送る前に、貯液された消毒液に上記空気を接触させ、該空気の殺菌・清浄をおこなう方法である。
また、上記空気が流れる送流配管の地上側において、上記空気を上記消毒液へ誘導して接触させ、さらに、上記空気を、上記貯液された消毒液を毛細管現象にて吸い上げたフィルタに通過させて、上記空気の殺菌・清浄をおこなう方法である。【０００９】
または、室内又は室外の空気を地上から地中に送って、該地中にて上記空気を熱交換させ、熱交換した該空気を上記室内に送る地中熱利用の機能性空調方法であって、上記空気が流れる送流配管の内周面を上記消毒液で濡らし、上記送流配管内で上記空気を上記消毒液に接触させつつ送流させて、上記空気の殺菌・清浄をおこなう方法である。
または、室内に空気を吹出口から排出する送流配管の途中に消毒液が貯えられた殺菌清浄器を介設したものである。
【発明の効果】
【００１０】
本発明によれば、無菌、無臭で、ホコリ、花粉、ダニの死骸、ペットの毛等が殆ど存在しない美しく澄んだ高品質な空気を室内に送ることができ、安全で快適な生活空間を得ることができる。一般住宅はおろかオフィスや工場、各種の広い施設に於て、高度な空気清浄化と健康的な生活が得られる。
また、従来の地中熱を利用した空調装置及び空調方法よりも、より一層優れた能力を発揮し、地中熱利用空調装置の普及に貢献できる。なぜならば、外気に比べ、夏は涼しく、冬は暖かい地中熱を熱交換パイプやヒートポンプとの併用で効率良く取り出す技術は基本的に確立されエネルギー効率の工場でランニングコストを３０〜４０％削減し得るにも関わらず、掘削工事を伴う設置時のコスト問題がネックとなって、普及は殆ど進んでいない。この様な現状下で、地中熱利用の空調装置及び空調方法の浸透をはかるには、単に、省エネルギー効果を謳うだけでなく、従来にはない良質かつ高品質な空気の提供以外にない。折しも、社会的には環境問題を含めた再生可能エネルギーの積極的な導入が叫ばれ、安心感と安全性が何よりも優先され、病気の予防や健康長寿また自然回帰に視線が注がれている。日本では超高齢化社会を迎えてこれらの傾向は益々顕著になって来ている現在、高いイニシャルコストを補ってなお余りあるものとして多くの人に賛同を得て迎えられることになるからである。
また、現在は社会全般にわたり「安全性と安心感」が何よりも重要視される時代である。福島原発事故の放射能もれで周辺の広い土地は今後１００年間は住めないとも言われている。これからは、環境問題とエコロジー（エコ）問題をはずしては語れない時代へと入った。地下資源には限りがあり石油の枯渇も遠い話しではない。その点、自然エネルギー（太陽熱、光、波、水力等々）は地球が存在する限り永久不滅である。
その一つに地中熱がある。大地は巨大な蓄熱層であり、それから得られる熱源（冬は暖かく夏は涼しい）を取り出し、空調装置及び空調方法として大いに利用することはエコ時代にマッチしており、普及を推進する事は社会的責任でもある。本発明によってエコだけでなく「安心と安全と健康」を得ることが容易となった。
【図面の簡単な説明】
【００１１】
【図１】本発明の機能性空調装置及び機能性空調方法の実施の一形態を示す簡略構成図である。
【図２】殺菌清浄器及び生理活性器の一例を示す要部断面側面図である。
【図３】本発明の機能性空調方法の他の実施形態を示す簡略構成図である。
【発明を実施するための形態】
【００１２】
以下、図示の実施形態に基づき本発明を詳説する。
本発明に係る機能性空調装置は、図１及び図２の実施の形態に於て、建物の室内Ｒ又は室外Ｓの空気Ａを吸い込むための吸入口Ｐａと、吸い込んだ空気Ａを地中Ｇに送って地中熱と熱交換させて再び地上に送り出す熱交換用往復管10と、地中Ｇで地中熱と熱交換された空気Ａを室内Ｒに排出する吹出口Ｐｂと、を有する送流配管Ｐを備えている地中熱利用の機能性空調装置である。
【００１３】
熱交換用往復管10（以下、往復管10と呼ぶ場合もある）は、吸入口Ｐａと接続されファンＦを介して空気Ａが流入する地上給気口10ａと、空気Ａを地上から地中に送るための往路部11と、地中にて熱交換された空気Ａを地上に戻す復路部12と、吹出口Ｐｂへ熱交換された空気Ａを送るための地上排気口10ｂと、を有し、二重筒状に構成され鉛直軸心状に埋設されている。
【００１４】
そして、地上（地表）側にて、吹出口Ｐｂと、往復管10の地上排気口10ｂの間に、消毒液（万能殺菌消毒液）Ｗが貯えられた殺菌清浄器２を介設している。
図２に於て、殺菌清浄器２は、断熱性を有する殺菌清浄用ケーシング21を有している。
殺菌清浄用ケーシング21は、空気Ａが流入する流入口21ａと流入した空気Ａを流出させる流出口21ｂとを有する上方開口状の殺菌清浄用箱部材51と、殺菌清浄用箱部材51を施蓋する殺菌清浄用蓋部材52と、を備えている。
【００１５】
そして、殺菌清浄器２は、殺菌清浄用箱部材51の底部に消毒液Ｗを貯える貯液部22と、貯液部22内の消毒液Ｗに一端縁側が浸され毛細管現象によって消毒液Ｗを吸い上げるための２枚のフィルタ24，24と、鉛直壁面状に配設されるフィルタ24，24と共に殺菌清浄用ケーシング21内を３部屋に区分けするための２つの鉛直壁面状の仕切り部23，23と、を備えている。
【００１６】
さらに、殺菌清浄器２は、流入口21ａと、流入口21ａ側のフィルタ24（以下、入口フィルタ24Ａと呼ぶ場合もある）の間に、流入した空気Ａを貯液部22側（下方）へ誘導する入口ガイド部26を有している。
入口ガイド部26は、流入した空気Ａが消毒液Ｗの液面に接触しやすくするために側面視で前方下傾状に形成され入口仕切り部23（23Ａ）に連続状に形成されている。
また、流入口21ａの口径は、往復管10の地上排気口10ｂと流入口21ａを接続する接続パイプ91の平均内径よりも小さい内径とし、流入する空気Ａの流速を高めるように設定するのが望ましい。
【００１７】
また、流出口21ｂと、流出口21ｂ側のフィルタ24（以下、出口フィルタ24Ｂと呼ぶ場合もある）の間に、消毒液Ｗ寄り（下部）の空気Ａを流出口21ｂへ誘導する出口ガイド部27を有している。出口ガイド部27は、出口仕切り部23（23Ｂ）に連続状で、四半円弧状（凹曲面状）に形成されている。仕切り部23（23Ａ，23Ｂ）と入口ガイド部26と出口ガイド部27は板状に形成されている。
【００１８】
また、殺菌清浄器２は、流入口21ａと入口フィルタ24Ａの間に第１空間（室）71を有し、入口フィルタ24Ａと出口フィルタ24Ｂの間に第２空間（室）72を有し、出口フィルタ24Ｂと流出口21ｂの間に第３空間（室）73を有している。また、殺菌清浄用蓋部材52を外すことで消毒液Ｗやフィルタ24を交換・補充可能としている。
【００１９】
また、フィルタ24は、殺菌清浄用箱部材51から上下方向に抜き差し自在（着脱自在）に設けられている。
材質は、無機質繊維であって、天然系の綿やセルロースに比べて、太さや長さ、形状、密度を、容易に設定でき、かつ、劣化が少ないという利点がある。
具体的には、グラスウール、ロックウール、金属系ウール等である。繊維の太さを、０．０１〜０．０５ｍｍに設定すると共に、フィルタ24の厚みを０．０５〜２．０ｍｍに設定している。また、グラスウールの場合は、密度を２０〜３０ｇ／１０００ｃｍ３、ロックウールの場合は、密度を１５〜２０ｇ／１０００ｃｍ３、金属系ウールの場合は、密度を４０〜６０ｇ／１０００ｃｍ３に設定する。
【００２０】
また、殺菌清浄器２は、貯液部22内に、消毒液Ｗの温度を調節することで、流出口21ｂから排出される空気Ａの温度を調整する温調手段28を備えている。
具体的には、温調手段28は、排出される空気Ａの温度を、流入した空気Ａよりも下げる場合は、密封容器に収納されている保冷剤等の冷却体であり、排出される空気Ａの温度を、流入した空気Ａよりも上げる場合は、密封容器に収納されている保温剤や湯たんぽ等の発熱体である。
【００２１】
特に、流入した空気Ａよりも暖かくする場合は、消毒液Ｗの液温を流入する空気Ａの温度より１５℃以上高く設定し、排出される空気Ａを１．５〜２．５℃上昇、より好ましくは３℃上昇させる。なお、消毒液Ｗの液温が４５℃を越えないよう、又は、空気Ａとの温度差が４０℃を越えないように設定するのが望ましい。
また、流入した空気Ａよりも冷たくする場合は、消毒液Ｗの液温を流入する空気Ａの温度よりも５℃以上低く設定し、排出される空気Ａを１．５℃〜２．５℃降下、より好ましくは３℃降下させる。なお、消毒液Ｗが５℃未満にならないよう、又は、流入する空気Ａとの温度差が１５℃を越えないように設定するのが望ましい。
【００２２】
さらに、図１に示すように、送流配管Ｐにおいて、吹出口Ｐｂと殺菌清浄器２の間に、空気Ａに、揮散させた生理活性物質39を混合させる生理活性器３を介設している。
生理活性器３は、ストレス解消によって、ストレスから来る慢性の不快な症状の緩和、又は、自然治癒力の回復・向上に貢献するものである。
【００２３】
図２に於て、生理活性器３は、断熱性を有する収納用ケーシング31を有している。
収納用ケーシング31は、殺菌清浄器２から排出される空気Ａが流入する接続口31ａと流入した空気Ａを流出させる出口31ｂとを有する上方開口状の収納用箱部材61と、収納用箱部材61を施蓋する収納用蓋部材62と、を備えている。蓋部材62を外すことで容易に生理活性物質39を交換・補充可能としている。
【００２４】
そして、生理活性器３は、収納用箱部材61にストレスの解消に有効な生理活性物質39が収納される収納部32と、収納用箱部材61の底部に配設され生理活性物質（癒し物質）39の成分（エキスや匂い等）を揮散させて収納用ケーシング31内の上部に流入した空気Ａに混入（混合）させるための超音波発生手段33と、を備えている。
【００２５】
超音波発生手段33は、超音波の周波数を変更（設定）可能とし、鼠やゴキブリ、野良猫、鳩等の不快害獣・害虫に忌避行動を誘発させるように構成しても良い。超音波発生手段33の水平面状の載置面33ａ上に、複数の仕切り板部材で区分けされた上方開放状の複数の収納部32（32Ａ，32Ｂ）が形成されている。なお、流入する空気Ａを、より暖かく、又は、より冷たくするために、空気Ａよりも暖かいもの又は冷たいものから成る空気寒暖増幅手段（冷却体や発熱体等）を、収納部32に収納させても良い。
【００２６】
ここで、生理活性物質39とは、ストレスの解消（緩和）に有効なものであって、思い込み等によるブラシボー（プラシーボ）効果によってストレスが解消されるものを含む。
具体的には、アロマテラピー（芳香療法）に使用される精油（エキス）である。アロマテラピーは芳香植物から抽出されたエッセンスを利用し、心身をリフレッシュして、自然治癒力を高めることで健康にするという代替医療の一種でストレスの型によって使い分け
ることでリラックス（ストレス解消）効果を生み出す。
皮膚や鼻腔を通して大脳辺系に伝わり、古い記憶や本能行動に結びつき、さらに、視床下部へと伝わり身体に生理反応があらわれる。視床下部は「脳の中の脳」と言われる程重要な器官で体の恒常性を保つ為に自律神経や内分泌系、免疫系を調整している。嗅覚は知的な大脳皮質を通さず身体の生理反応に直結している。下記表１に、ストレス性の慢性疾患に有効な精油（エキス）の一例と、ストレス解消以外の生理作用等を示す。
なお、樹木から放出される揮発性物質（森の香り、フィトンチッド）、杉や檜のチップ、松葉等も同じであり、また、単なる匂いである干し草や稲ワラの匂い、幼い時の思い出の匂い、郷愁を感じる匂い、チョコレートの香りなど、好みの匂いもアロマテラピーの一種（エキス）である。
【００２７】
【表１】
2013061406.tif 000003
【００２８】
また、生理活性物質39として、実際の効果（科学的効果）は定かでなく、不明な点も多いが、いわゆる薬石と言われるものとしても良い。
下記表２に、ストレス解消に有効と言われる薬石（鉱物）や物質、或いはその微粉末とストレス解消以外の生理作用等の一例を示す。
【００２９】
【表２】
2013061406.tif 000004
【００３０】
また、生理活性物質39として、動物質のものとしてジャコウの香り、リューゼン（リョウゼン）香の香り等でも良い。
また、生理活性物質39は、科学的な根拠がなくとも、特別な塩や、特殊な水等、室内Ｒの人が自分に良いと信じ込んでいるあらゆる物である。いわゆるブラシボー効果を誘うものであれば良く、意外に有効性を発揮することは広く知られている事実である。また、本発明に於て、揮散とは、気体化して分散、微粒子化して分散、臭気成分の拡散等、生理活性物質39が有する成分を分散させることを意味する。
【００３１】
次に、消毒液Ｗは、生命並びに生命活動の基本物質たるアミノ酸、ビタミン及びミネラルを主成分として安全性が極めて高く、一般細菌、抗酸菌、芽胞、真菌はてはウイルスに至る広範囲の抗菌スペクトルを有し、手指、粘膜、傷口を始めとして器具、器材、排泄物、環境に、さらには、生鮮食材や農作物の消毒に多目的、多用途に使用可能なものである。
【００３２】
消毒液Ｗは、具体的には、抗菌作用を有する金属イオンの１種又は２種以上とＬ−システイン並びにＬ−アスコルビン酸を主成分として、この主成分に非イオン系を除く界面活性剤の１種又は２種以上を添加したものである。
また、抗菌作用を有する金属イオンが、 III価の鉄イオン（Ｆｅ３＋）、II価の鉄イオン（Ｆｅ２＋）、亜鉛イオン（Ｚｎ２＋）、銅イオン（Ｃｕ２＋）、コバルトイオン（Ｃｏ２＋）、ニッケルイオン（Ｎｉ２＋）又は、銀イオン（Ａｇ＋）である。
また、抗菌作用を有する金属イオンの濃度が、 III価の鉄イオンでは、５０〜２００ｐｐｍ、II価の鉄イオンでは１１０〜４００ｐｐｍ、亜鉛イオンでは７．５〜１２５ｐｐｍ、銅イオンでは、１５〜６０ｐｐｍ、コバルトイオンでは１８０〜３００ｐｐｍ、ニッケルイオンでは８５〜１７５ｐｐｍ及び銀イオンでは、１〜３ｐｐｍである。
また、Ｌ−システインの濃度が１００〜１０００ｐｐｍ及びＬ−アスコルビン酸の濃度が１００〜５００ｐｐｍである。
また、非イオン系を除く界面活性剤がアルキルベンゼンスルホン酸塩、直鎖アルキルベンゼンスルホン酸塩、ポリオキシエチレンアルキルエーテル硫酸塩、高級アルコール硫酸エステル塩、ラウリル硫酸ナトリウム、ラウロイルサルコシンナトリウム、塩化ステアリルジメチルベンゼンアンモニウム、塩化ベンザルコニウム、塩化ベンゼントニウム、塩酸アルキルジアミノエチルグリシン及び塩酸アルキルポリアミノエチルグリシンからなる群より選ばれる１種以上である。
また、非イオン系を除く界面活性剤の濃度が２０〜１００ｐｐｍである。
また、ソルビン酸、ソルビン酸塩、安息香酸、安息香酸塩並びにパラオキシ安息香酸エステルからなる群より選ばれる少なくとも１種以上をさらに含有したものである。
なお、上述した消毒液Ｗに、ヒノキ、ミント等の各種の植物由来の精油や抗菌成分又は鉱物由来の抗菌成分を微量加えることによりその抗菌力をさらに高めても良い。
【００３３】
次に、上述の消毒液Ｗの製造例について記載する。
製造例１は、第１溶液として、塩化第二鉄・六水和物０．９６ｇを精製水２００ｍｌに溶解する。第２溶液として、Ｌ−システイン１ｇ、Ｌ−アスコルビン酸０．１ｇ、ソルビン酸カリウム０．０５ｇ、ラウリル硫酸ナトリウム０．１ｇを精製水８００ｍｌに溶解する。次に、第１溶液と第２溶液とを混和せしめ、１規定の塩酸１ｍｌを添加して、以下の構成成分から成る消毒液Ｗを製造した。
構成成分は、Ｆｅ３＋イオン２００ｐｐｍ、Ｌ−システイン１０００ｐｐｍ、Ｌ−アスコルビン酸１００ｐｐｍ、ソルビン酸カリウム５０ｐｐｍ、ラウリル硫酸ナトリウム１００ｐｐｍ、である。また、ＰＨ３．０である。
製造例２〜４を以下表３に示す。
【００３４】
【表３】
2013061406.tif 000005
【００３５】
次に、製造例３から成る消毒液に多種にわたる供試菌の懸濁液を調整した液（約１×１０9 ｃｅｌｌｓ／生食水）を２重量％滴下し経時的に一白菌耳を釣菌し、各増殖用培地に接種、最適環境下にて培養し菌の増殖の有無で殺菌効果を観察した。結果は、一般細菌（例えば、肺炎球菌、ジフテリア菌、大腸菌、サルモネラ菌等）なら１０秒〜１５秒で、抗酸菌（人型結核菌等）も１分以内に死滅した。また、真菌（カンジタ菌等）なら糸状型が１５秒前後で、酵母型は３０秒前後で、死滅した。芽胞（枯草菌等）はその形成段階により１分〜１２０分で崩壊（不活性化）せしめた。
ウイルスの場合、エンベローブを有する鳥インフルエンザＨ５Ｎ３型は５分の接触で１／１０万〜１／１００万に力価（活性力）を低下させた。エンベローブを持たないノロウイルスは、感染しているカキ並びに感染者の便を、その１０倍量の消毒液で浸漬させて検証したところ、３０分後に崩壊（不活性化）した。
【００３６】
次に、本発明の機能性空調装置の作用及び本発明の機能性空調方法について説明する。
図１に於て、室内Ｒ又は室外Ｓの空気Ａは、往復管（地中熱交換用二重筒状パイプ）10の地上給気口10ａから往路部（外筒部）11に送流される。往路部11を流れた空気Ａは、往復管10の底部Ｐｄで、折り返して復路部（内筒部）12を流れ、地上排気口10ｂから接続パイプ91に流れる。空気Ａは、地中Ｇを送流する間に熱交換され、夏期は冷やされ、冬期は温められる。
【００３７】
図２に於て、熱交換された空気Ａは、接続パイプ91を流れ、殺菌清浄器２に流入する。流入した空気Ａは、第１空間71内で、入口ガイド部26によって、消毒液Ｗの液面方向へ誘導され、液面との直接的な接触によって、ホコリや花粉、菌類、ペットの毛等の異物が吸着除去及び殺菌される。さらに、入口フィルタ24Ａを通過する。この際に、毛細管現象によって吸い上げられた消毒液Ｗによって異物が殺菌・清浄・吸着されると共に、入口フィ
ルタ24Ａの繊維に吸着させる。
【００３８】
入口フィルタ24Ａを通過した空気Ａは、第２空間72を通って出口フィルタ24Ｂを通過し、入口フィルタ24Ａで除去されなかった残りの異物が出口フィルタ24Ｂで吸着除去され、殺菌清浄される。殺菌清浄（浄化）された空気Ａは、出口ガイド部27によって、スムーズに流出口21ｂに誘導され、生理活性器３へ送られる。
また、殺菌清浄器２内において、温調手段28によって温度調整された消毒液Ｗと熱交換して、夏期の場合は空気Ａが冷やされ、冬期の場合は空気Ａが温められる。
【００３９】
殺菌清浄器２から排出された浄化された空気Ａは、生理活性器３内で、超音波発生手段33によって揮散された生理活性物質39と混合される。殺菌洗浄され、かつ、生理活性物質39の成分（ストレス解消成分）を含んだ空気Ａは、室内Ｒに排出され、人に、安心・安全で快適な健康的な生活を提供する。
【００４０】
つまり、本発明の機能性空調方法は、室内Ｒ又は室外Ｓの空気Ａを地上から地中Ｇに送って、地中Ｇにて空気Ａを地中熱と熱交換させ、熱交換した空気Ａを室内Ｒに送る地中熱利用の機能性空調方法であって、室内Ｒに空気Ａを送る前に、空気Ａが流れる送流配管Ｐの地上側かつ吹出口Ｐｂ側で、貯液された消毒液Ｗに空気Ａを接触するように液面側へ誘導させ、さらに、貯液された消毒液Ｗを毛細管現象にて吸い上げた２枚のフィルタ24，24を順次通過させて殺菌清浄し、かつ、温調手段28によって温度調整された消毒液Ｗと空気Ａを熱交換させて空気Ａの温度を調整し、その後、殺菌清浄され温度調整された空気Ａに、超音波発生手段33にて揮散させた生理活性物質39（の成分）を混合させて、室内Ｒへ送る機能性空調方法である。
【００４１】
次に、殺菌清浄器２についての作用（成績試験）について説明する。
殺菌清浄器２を室内Ｒに設置し、その室内Ｒに、細菌類（容易に菌数が測定可能な乳酸菌と無毒な大腸菌並びに青カビの胞子）と、花粉（杉及び檜）と、ホコリ（チリ）と、ダニの死骸と、悪臭成分（便臭、生ゴミ、アンモニア臭、硫酸水素臭、魚の腐敗臭のようなトリメチルアミン）と、を噴霧し、室内Ｒの四隅から扇風機にて攪拌、乾燥するに従い空気中に浮遊せしめ、室内Ｒの空気Ａと、殺菌清浄器２内（第２空間72と第３空間73）の空気Ａの浄化の程度、並びに空気Ａの臭いや温度の違いを測定した（試験例１）。なお、殺菌清浄器２の流出口21ｂから陰圧（吸引仕事率６０Ｗ）にて吸引することで検証した。室温は１５℃に設定した。
【００４２】
細菌類の場合は、滅菌した容量５００ｍｌのシリンジで各箇所（室内Ｒ、第２空間72、第３空間73）の空気Ａを各々３００ｍｌ採取し、同じシリンジで滅菌生食水を１００ｍｌ吸入し、よく攪拌、空気Ａ中に含有される細菌類を生理食塩水に吸着せしめ常法に従い選択培地を使用して菌数を測定した。例えば、乳酸菌はＬＢＳ培地、大腸菌はＥＣ培地、真菌はサブローの培地である。
花粉及びダニの死骸の場合は、１ｍｍメッシュ格子線入りスライドグラス（２６×７６ｍｍ）にワリセリンを均等に塗り、グローボックス内で捕集した１００ｍｌの空気Ａを均一に吹き付ける。花粉はゲンチアナバイオレット・グリセリンゼリー剤にて染色し、１００〜２００倍の鏡見下で観察、ダニの死骸は５〜１０倍で観察した。
ホコリの場合は、清浄なガラス箱に捕集した１Ｌの空気Ａを入れ、黒い紙を背景に光を照射することでチンタル現象しているホコリを肉眼で観察した。
悪臭成分の場合は、５００ｍｌのシリンジで採取し、臭い（匂い）袋に入れ、５人の官能テストの平均値とした。
【００４３】
そして、ホコリの程度は次のように６段階評価した。＋印５つで、背景がほぼ見えない程ほこりっぽい。＋印４つで、背景は見えるがほこりっぽい。＋印３つで、普通（雑踏の
雰囲気）。＋印２つで、少ない（通常の室内の状態）。＋印１つで、僅少で見た目に澄んで美しい。−印１つで、完全に澄んでいる状態。
また、悪臭の程度は次のように６段階評価した。０は無臭。１は、やっと微かに感じる臭い。２は、楽に（少し）感じる臭い。３は、明らかに感じる臭い。４は、強い臭い。５は、耐えられない程強く感じる臭い。
測定結果を下記表４に示す。
【００４４】
【表４】
2013061406.tif 000006
【００４５】
表４から明らかなように、空気Ａ中に浮遊する細菌類は入口フィルタ24Ａをくぐりぬけても出口フィルタ24Ｂで殆ど捕捉殺菌された（約９９．６％以上減少）。また、花粉やダニは１００％捕捉され、ほこりもなくなった。また、表４には省略したが、ペットの毛も除去できた。
なお、結核菌などの抵酸菌や細菌芽胞、また、インフルエンザＢ型、鳥インフルエンザＨ１Ｎ１型、ノロ等のウイルスに於ても、別途試験を行なったが、上記の細菌や真菌と同様、ほぼ１００％、フィルタ24に吸着され死滅又は失活することが確認された。
また、臭いについては臭いの性質にも影響されるが、生ゴミとか便臭等のいわゆる日常生活で発生する臭いはほぼ無臭化された。ただ、硫化水素の臭いやトリメチルアミン等のように水にやや溶けにくい臭いは僅かに残ったがその残った有臭空気を１〜数回、殺菌清浄器２に還流させる事により消失した。即ち、空気Ａを循環させれば、殆どの臭いは程なく吸着され、無臭の澄んだ空気Ａが得られる。
【００４６】
次に、室温を所定の温度に設定し、温調手段28にて消毒液Ｗの液温を換えて、各箇所（室内Ｒ、第２空間72、第３空間73）の温度を測定した結果を下記表５に示す。
【００４７】
【表５】
2013061406.tif 000007
【００４８】
上記表５から明らかなように、消毒液Ｗの液温を、流入する空気Ａの温度（室温）よりも１５℃以上高く設定した場合は、排出される空気Ａを１．５〜３．０℃は確実に上昇させている。また、消毒液Ｗの液温を、流入する空気Ａの温度よりも５℃以上低く設定した場合は、排出される空気（出口フィルタ24Ｂを通過した空気）Ａを１．５℃〜３．０℃は確実に降下させている。
【００４９】
言い換えると、室温（流入した空気Ａの温度）と消毒液Ｗの液温が等しい場合は、出口フィルタ24Ｂを通過した空気（排出される空気）Ａは、０．８℃〜１．５℃低くなる。そして、室温より消毒液Ｗの液温を低くするにつれて、出口フィルタ24Ｂを通過した空気Ａの温度を低くしている。
また、室温より液温が５℃高い場合は、出口フィルタ24Ｂを通過した空気Ａを室温と同等（差が０．５℃以内）にする。そして、液温が室温より５℃を越える熱さの場合、液温を高くするにつれて出口フィルタ24Ｂを通過した空気Ａの温度を高くすることが可能であると言える。
なお、入口フィルタ24Ａと出口フィルタ24Ｂの距離を変化させることで、出口フィルタ24Ｂを通過した空気Ａの温度に多少の差異は発生する。
【００５０】
また、試験例１と同様の室内Ｒに於て、空中浮遊菌サンプラー（ＭＢＳ−１０００，ＪＩＳ試験捕集効率９９％以上）を用いて、空中に浮遊している細菌類を吸入捕集し、それを高速で栄養寒天培地に吹き付け培養して菌数を測定した（試験例２）。
第２空間72及び第３空間73に於て夫々、１５秒間作動させて２５Ｌの空気Ａを採取し、培地に吹き付けた。室内Ｒの細菌数を１００とした場合の結果を下記表に６に示す。
【００５１】
【表６】
2013061406.tif 000008
【００５２】
上記表６から明らかなように、入口フィルタ24Ａをすり抜けた芽胞や真菌も出口フィルタ24Ｂで全て捕捉されている。なお、同じサンプラーで、花粉やダニの死骸を捕集して計測したが何れも出口フィルタ24Ｂで全て捉えており、第３空間73に於て検出出来なかった。また、ホコリもなく美しい空気が得られた。
【００５３】
さらに、室外Ｓの空気Ａを取り込む場合を想定し、殺菌清浄器２を室外Ｓ（庭園）に設置して行なった（試験例３）。上記のサンプラーで第３空間73の空気Ａを採取した結果、室内Ｒに設置した場合と類似の傾向を示し、出口フィルタ24Ｂを通過した空気Ａは、ほぼ無菌で花粉やダニの存在しないクリーンな空気が得られた。また、ペットの毛も除去できた。
【００５４】
上述の試験成績から明らかなように、送流配管Ｐに介設した場合も、ほぼ無菌、無臭で美しく澄んだ空気Ａが得られると言える。また、夏はより涼しく、冬はより暖かい空気Ａが得られ、省エネルギー（省エネ）対策にも有効である。一般家庭は言うに及ばず老健施設や身体弱者の施設では、自然の涼しさであたかも爽やかな高原にいるかのような雰囲気が得られる。また、冬期（季）には、暖房機無しでも衣服の調整や体を適度に動かすだけで良い。なお、地中熱用に限らず、ボイラーやヒートポンプを用いた空調装置の空調ダクトに殺菌清浄器２を介設して、上述のようなクリーンな空気Ａを得ることも可能である。
【００５５】
そして、図１に示すように、室外Ｓの空気Ａ（外気）を吸い込んで、地中熱と熱交換した空気Ａを室内Ｒに送る送流配管Ｐに殺菌清浄器２を介設した場合について試験を行なった。なお、往復管10によって、室外Ｓの空気Ａを、地上から深さ５ｍの地中熱と熱交換可能である。また、往復管10の底部Ｐｄには、図示省略するが、ホコリ等を吸着するための水を貯水している。
試験例１と同様の室内Ｒで、生菌数、花粉、ホコリの程度、ダニの死骸、生ゴミ臭、温度、を測定（計測）した。なお、消毒液Ｗの液温を１０℃に設定した（殺菌清浄機器２に流入する空気Ａより８℃低くした）。結果を下記表７に示す。なお、空気Ａの採取及び検査方法は、試験例１と同様である。
【００５６】
【表７】
2013061406.tif 000009
【００５７】
上記表７から明らかなように、空気Ａは、見違えるが如く、清浄化され無臭の美しい空気Ａが得られた。なお、殺菌清浄器２に流入する空気Ａは、往復管10の底部Ｐｄの水等によって、外気に比べ、生菌数は６９％減、真菌数は６８％減、花粉は７５％減、ダニの死骸は８０％減、ホコリや臭いは半減であり、また、地中熱との熱交換により空気Ａの温度を２５℃から１８℃に低下させているが、殺菌清浄器２を介設したことにより、無菌・無臭でより澄んだ空気Ａが得られ、さらに、温調効果も向上している。また、ペットの毛も除去できた。
【００５８】
また、図１に示すように、生理活性器３を介設した場合について説明する。
ストレス性の慢性な不快な症状に悩む２０人の被験者夫々の好みに合った生理活性物質39を、各室内Ｒと接続された生理活性器３に収納して揮散させ、４週間過ごしてもらった結果、個人差はあるものの、全員が持病の症状が緩和された。中には、症状が完全に消失したとの報告もあった。外見的所見に於ても、被験者の顔は穏やかで明るくなり、ほぼ無菌で、高度に清浄された空気Ａと相まって、高い効果が現われたものと考えられる。
現在社会を特徴づけるものは社会に蔓延するストレスである。この裏返しとして「安心・安全・健康指向」が重視され、現代人はストレス社会からの脱却を求めていると言っても過言ではない。厳しい競争社会、情報過多、家庭や職場での孤独感や人間関係の難しさなど解決能力を越えたストレスの大きさは体の不調を招き、当人の体の一番弱い部分が病気となって現れる。例えば、高血圧、低血圧、静脈瘤、蕁麻疹、頭痛、肥満症、月経不順や過多、副鼻腔炎、鼓腸、慢性下痢、便秘、不眠症、円形脱毛症、喘息、肌荒れ等、体の各分野に及んでいる。ストレスは万病の元凶と言われる所以である。
ストレスが原因となっている慢性疾患には特効薬はなく、ストレスから開放され精神の安定と心の癒しが症状の緩和や治療への最大のポイントとなる。何故ならば、心の安定は自然治癒力や免疫力を後押しし得るからである。
【００５９】
次に本発明の機能性空調方法の他の実施形態について説明する。
図３に示すように、室内Ｒ又は室外Ｓの空気Ａを地上から地中Ｇに送って、地中Ｇにて空気Ａを熱交換させ、熱交換した空気Ａを室内Ｒに送る送流配管Ｐを備えた地中熱利用の空調方法であって、空気Ａが流れる送流配管Ｐ（の往復管10）の内周面Ｐｅを消毒液Ｗで濡らし、送流配管Ｐ内で、空気Ａを消毒液Ｗに接触させつつ送流させて、空気Ａの殺菌・洗浄を行なう空調方法である。また、往復管10の底部Ｐｄに、通風を確保しつつ消毒液Ｗを少量貯留させている。
そして、内周面Ｐｅ及び底部Ｐｄの消毒液Ｗに、空気Ａを接触させ、空気Ａ中に含まれる細菌、花粉、ホコリ、等の異物（被除去物）を吸着すると共に、空気Ａの殺菌・洗浄を行なう方法である。
また、所定期間毎に、底部Ｐｄの消毒液Ｗを汲み上げて排泄し、送流配管Ｐを水道水で洗浄し、その後、新たな消毒液Ｗを滴下する。
【００６０】
下記表８に、試験結果を示す。なお、空気Ａの採取及び検査方法は、試験例１と同様である。
【００６１】
【表８】
2013061406.tif 000010
【００６２】
上記表８から明らかなように、空気Ａ中に浮遊する細菌や真菌、花粉などの除去率は９７％以上、ダニは１００％であった。ホコリも殆ど除去され、日常生活で発生する明らかな臭いは微かに感じるか又はほぼ無臭となった。また、ペットの毛も除去できた。
【００６３】
また、図３に於て、地上に設置したタンクＴ内に消毒液Ｗを貯液し、ポンプ90を介して、往復管10の往路部11及び復路部12各々の上部から、消毒液Ｗを吹き付け又は滴下させて、内周面Ｐｅを常時濡らしている。また、生理活性器３によって、生理活性物質39を揮散させて室内Ｒに送る空気Ａに混入させている。なお、この方法は、図１及び図２で示した実施形態の殺菌清浄器２を、往復管10と一体化した方法であるとも言える。
【００６４】
なお、本発明は、設計変更可能であって、ファンＦ、殺菌清浄器２、生理活性器３、ポンプ90、タンクＴ等の設置場所は、建物等の床下や地下室、屋外や、建物の敷地内の機械室等自由である。また、温調手段28は、ヒータや冷却装置とするも良い。また、図１と図３に於て、往復管10の底部Ｐｄで通風を確保するために、往路部11と復路部12の仕切壁部の下端部に、複数の貫孔を設けているが、切欠とするも良い。また、本発明に於て、殺菌とは、ウイルスの不活性化も含む。既設の地中熱空調用送流配管に殺菌清浄器２や生理活性器３を介設しても良い。
また、本発明は送流配管Ｐに設置（介設）する機能性（殺菌・空気浄化・ストレス解消等）を有する空調装置とその方法に関わり、特に、地中熱を利用したシステムに設置（介在）せしめることにより威力（高性能）を発揮する。また、殺菌清浄器２及び生理活性器
３は、地中熱を利用した空調システムに設置するに止まらず、通常の送風管（送流配管Ｐ）に介在せしめても表１〜表７に示すように安全で美しく澄んだ空気が得られる。
【００６５】
以上のように、本発明の機能性空調装置は、室内Ｒ又は室外Ｓの空気Ａを吸入口Ｐａから吸い込んで、地中Ｇに送って、地中Ｇにて空気Ａを熱交換させ、熱交換した空気Ａを室内Ｒに吹出口Ｐｂから排出する送流配管Ｐを備えた地中熱利用の機能性空調装置であって、上記送流配管Ｐは、空気Ａを地上から地中に送るための往路部11と、地中にて地中熱と熱交換された空気Ａを地上に戻す復路部12と、を有する熱交換用往復管10を備え、吹出口Ｐｂと、熱交換用往復管10の地上排気口10ｂの間に、消毒液Ｗが貯えられた殺菌清浄器２を介設したので、無菌、無臭で、ホコリ、花粉、ダニの死骸、ペットの毛等が殆ど存在しない美しく澄んだ高品質な空気Ａを室内Ｒに送ることができ、安全で快適な生活空間を得ることができる。一般住宅はおろかオフィスや工場、各種の広い施設に於て、高度な空気清浄化と健康的な生活が得られる。また、従来の地中熱を利用した空調装置より一層優れた能力を発揮し、地中熱利用の空調装置の普及に貢献できる。
【００６６】
また、殺菌清浄器２は、断熱性を有する殺菌清浄用ケーシング21と、消毒液Ｗが貯液される貯液部22と、貯液部22の消毒液Ｗに一端縁側が浸され消毒液Ｗを毛細管現象によって吸い上げるフィルタ24と、を有し、さらに、殺菌清浄器２は、殺菌清浄用ケーシング21の流入口21ａとフィルタ24の間に、流入した空気Ａを、貯液部22側へ誘導する入口ガイド部26を有するので、空気Ａを確実に消毒液Ｗに接触させることができると共に、細菌類やホコリ・花粉等の異物を確実に吸着できる。空気Ａを効率良く万便なく消毒液Ｗに接触させることができ、確実な浄化作用を安定的に得ることができる。特に夏期に、フィルタ24を通過する際に気化熱で、空気Ａが冷やされ、一層の省エネルギー効果（冷却効果）を得ることができる。
【００６７】
また、フィルタ24は、無機質繊維であって、繊維の太さを０．０１〜０．０５ｍｍに設定すると共に、フィルタ24の厚みを０．０５〜２．０ｍｍに設定したので、フィルタ24を確実に湿潤状態に維持し、殺菌（ウイルス不活性化）作用を安定して得ることができる。送風効率（送風性）を損なわずに空気を消毒液Ｗと接触させることができる。送風量や風力に影響を受けず確実に毛細管現象を得ることができる。天然系の綿やセルロースに比べて、太さや長さ、形状、密度を、容易に設定できる。劣化が少なく、耐久性が得られる。
【００６８】
また、消毒液Ｗは、抗菌作用を有する金属イオンとＬ−システイン並びにＬ−アスコルビン酸を主成分として、この主成分に非イオン系を除く界面活性剤を含有するものであるので、高い殺菌力を長時間得られる（優れた持続性が得られる）。細菌類への浸透性に優れ迅速な効果が期待できる。様々な菌類やウイルス、花粉、ペットの毛等のアレルギー物質に対して有効で、優れた空気清浄効果を得ることができる。
【００６９】
また、殺菌清浄器２は、消毒液Ｗの温度を調節する温調手段28を備え、消毒液Ｗの温度調整によって、殺菌洗浄器２から排出される空気Ａの温度を調整するように構成したので、地中熱によって熱交換された空気Ａよりも、夏期はより涼しく冬期はより暖かい空気Ａを得ることができる。
【００７０】
また、殺菌清浄器２から排出される空気Ａが流入する接続口31ａを有すると共に断熱性を有する収納用ケーシング31と、ストレスの解消に有効な生理活性物質39が収納される収納部32と、生理活性物質39を揮散させて空気Ａに混入させるための超音波発生手段33と、を有する生理活性器３を、吹出口Ｐｂと殺菌清浄器２の間に介設したので、殺菌清浄された空気Ａに、ストレス解消・自然治癒力の回復及び増強の効果を付加することができる。ストレスから誘引される慢性の不快な症状を緩和又は解消、自然治癒力の回復、増強が得得られる。
【００７１】
また、本発明の機能性空調方法は、室内Ｒ又は室外Ｓの空気Ａを地上から地中Ｇに送って、地中Ｇにて空気Ａを熱交換させ、熱交換した空気Ａを室内Ｒに送る地中熱利用の機能性空調方法に於て、空気Ａを室内Ｒに送る前に、貯液された消毒液Ｗに空気Ａを接触させ、空気Ａの殺菌・清浄をおこなうので、無菌、無臭で、塵、花粉、ダニの死骸、ペットの毛等が殆ど存在しない美しく澄んだ高品質な空気Ａを室内Ｒに送ることができ、安全で快適な生活空間を得ることができる。一般住宅はおろかオフィスや工場、各種の広い施設に於て、高度な空気清浄化と健康的な生活が得られる。また、従来の地中熱を利用した空調方法より一層優れた能力を発揮し、地中熱利用空調装置の普及に貢献できる。
【００７２】
また、空気Ａが流れる送流配管Ｐの地上側において、空気Ａを消毒液Ｗへ誘導して接触させ、さらに、空気Ａを、貯液された消毒液Ｗを毛細管現象にて吸い上げたフィルタ24に通過させて、空気Ａの殺菌・清浄をおこなうので、空気Ａを確実に消毒液Ｗに接触させることができると共に、菌類やホコリ・花粉、ペットの毛等の異物を確実に吸着できる。特に夏期に、フィルタ24を通過する際に気化熱で、空気Ａが冷やされ、一層の省エネルギー効果（冷却効果）を得ることができる。
【００７３】
または、室内Ｒ又は室外Ｓの空気Ａを地上から地中Ｇに送って、地中Ｇにて空気Ａを熱交換させ、熱交換した該空気Ａを室内Ｒに送る地中熱利用の機能性空調方法であって、空気Ａが流れる送流配管Ｐの内周面Ｐｅを消毒液Ｗで濡らし、送流配管Ｐ内で空気Ａを消毒液Ｗに接触させつつ送流させて、空気Ａの殺菌・清浄をおこなうので、空気Ａを長い時間万便なく消毒液Ｗに接触させることができ、確実に空気Ａを殺菌・清浄できる。既設の地中熱交換用の送流配管Ｐに容易に対応できる。
【００７４】
また、本発明の機能性空調装置は、室内Ｒに空気Ａを吹出口Ｐｂから排出する送流配管Ｐの途中に消毒液Ｗが貯えられた殺菌清浄器２を介設したので、無菌、無臭で、ホコリ、花粉、ダニの死骸、ペットの毛等が殆ど存在しない美しく澄んだ高品質な空気Ａを室内Ｒに送ることができ、安全で快適な生活空間を得ることができる。一般住宅はおろかオフィスや工場、各種の広い施設に於て、高度な空気清浄化と健康的な生活が得られる。また、従来の空調装置より一層優れた能力を発揮できる。
【符号の説明】
【００７５】
２  殺菌清浄器
３  生理活性器
10  熱交換用往復管
10ｂ  地上排気口
11  往路部
12  復路部
21  殺菌清浄用ケーシング
21ａ  流入口
22  貯液部
24  フィルタ
26  入口ガイド部
28  温調手段
31  収納用ケーシング
31ａ  接続口
32  収納部
33  超音波発生手段
39  生理活性物質
Ａ  空気
Ｇ  地中
Ｐ  送流配管
Ｐａ  吸入口
Ｐｂ  吹出口
Ｐｅ  内周面
Ｒ  室内
Ｓ  室外
Ｗ  消毒液
【図１】
2013061406.tif 000011
【図２】
2013061406.tif 000012
【図３】
2013061406.tif 000013
【国際調査報告】
2013061406.tif 000014
2013061406.tif 000015
2013061406.tif 000016
2013061406.tif 000017